(57)【要約】【課題】リモート端末のバッテリーの残量が低下した場合であっても、継続して画像処理装置の設定操作を実施可能にする。【解決手段】自装置の機能に関する設定画面を表示する表示部と操作部とを有する画像処理装置と、バッテリーで動作し画像処理装置の機能に関する設定を行う操作部を有するリモート端末と、が無線によって接続された画像処理システムであって、リモート端末は、バッテリーの残量を監視し、バッテリーの残量が予め定めた閾値以下になったら、その旨を通知するバッテリー監視部と、バッテリー監視部から通知を受信したら、通知を受信するまでに所定の操作者が設定した設定情報を画像処理装置に送信する制御部と、を備え、画像処理装置は、リモート端末から設定情報を受信して記憶し、画像処理装置の操作部で設定の継続を指示する操作が行われたら、設定画面に設定情報を反映させる設定反映部を備える。【選択図】図４
2014187575.tif 000002
【特許請求の範囲】
【請求項１】
自装置の機能に関する設定画面を表示する表示部と操作部とを有する画像処理装置と、バッテリーで動作し、前記画像処理装置の機能に関する設定を行う操作部を有するリモート端末と、が無線によって接続された画像処理システムであって、
前記リモート端末は、
前記バッテリーの残量を監視し、前記バッテリーの残量が予め定めた閾値以下になったら、前記バッテリーの残量低下を通知するバッテリー監視部と、
前記バッテリー監視部から前記通知を受信したら、前記通知を受信するまでに所定の操作者が設定した設定情報を前記画像処理装置に送信する制御部と、を備え、
前記画像処理装置は、
前記リモート端末から前記設定情報を受信して記憶し、前記画像処理装置の前記操作部で設定の継続を指示する操作が行われたら、前記設定画面に前記設定情報を反映させる設定反映部を備える、
ことを特徴とする画像処理システム。
【請求項２】
前記画像処理装置の前記設定反映部は、
前記設定の継続を指示する操作が行われるまで、前記設定画面に前記設定情報を反映させず、他の操作者による設定を可能にする、
ことを特徴とする請求項１に記載の画像処理システム。
【請求項３】
前記リモート端末の前記制御部は、
前記所定の操作者を識別する識別情報を前記画像処理装置に送信し、
前記画像処理装置は、
前記リモート端末から前記識別情報を受信し、受信した前記識別情報と前記画像処理装置で入力された識別情報とを比較して、操作権限の有無を判定する認証部を備え、
前記画像処理装置の前記設定反映部は、
前記設定の継続を指示する操作が行われ、かつ、前記認証部が操作権限ありと判定した場合に、前記設定画面に前記設定情報を反映させる、
ことを特徴とする請求項１に記載の画像処理システム。
【請求項４】
前記リモート端末の前記制御部は、
前記所定の操作者を識別する識別情報を前記画像処理装置に送信し、
前記リモート端末とは異なる他のリモート端末は、
前記画像処理装置から前記識別情報を取得し、取得した前記識別情報と前記他のリモート端末で入力された識別情報とを比較して、操作権限の有無を判定する認証部と、
前記画像処理装置から前記設定情報を取得し、設定の継続を指示する操作が行われ、かつ、前記認証部が操作権限ありと判定した場合に、前記画像処理装置の機能に関する設定画面に、取得した前記設定情報を反映させる設定反映部と、を備える、
ことを特徴とする請求項１に記載の画像処理システム。
【請求項５】
自装置の機能に関する設定画面を表示する表示部と操作部とを有する画像処理装置であって、
バッテリーで動作し、前記画像処理装置の機能に関する設定が可能なリモート端末と、無線によって接続されており、
前記リモート端末から、所定の操作者が設定した設定情報を受信して記憶し、前記操作部で設定の継続を指示する操作が行われたら、前記設定画面に前記設定情報を反映させる設定反映部を備える、
ことを特徴とする画像処理装置。
【請求項６】
前記設定反映部は、
前記設定の継続を指示する操作が行われるまで、前記設定画面に前記設定情報を反映させず、他の操作者による設定を可能にする、
ことを特徴とする請求項５に記載の画像処理装置。
【請求項７】
前記リモート端末から受信した、前記所定の操作者を識別する識別情報と自装置で入力された識別情報とを比較して、操作権限の有無を判定する認証部を更に備え、
前記設定反映部は、
前記設定の継続を指示する操作が行われ、かつ、前記認証部が操作権限ありと判定した場合に、前記設定画面に前記設定情報を反映させる、
ことを特徴とする請求項５に記載の画像処理装置。
【請求項８】
自装置の機能に関する設定画面を表示する画像処理装置と、無線によって接続されたリモート端末であって、
前記画像処理装置の機能に関する設定を行う操作部と、
バッテリーと、
前記バッテリーの残量を監視し、前記バッテリーの残量が予め定めた閾値以下になったら、前記バッテリーの残量低下を通知するバッテリー監視部と、
前記バッテリー監視部から前記通知を受信したら、前記通知を受信するまでに所定の操作者が設定した設定情報を前記画像処理装置に送信する制御部と、を備える、
ことを特徴とするリモート端末。
【請求項９】
自装置の機能に関する設定画面を表示する表示部と操作部とを有する画像処理装置と、バッテリーで動作し、前記画像処理装置の機能に関する設定を行う操作部を有するリモート端末と、が無線によって接続された画像処理システムにおける操作制御方法であって、
前記リモート端末は、
前記バッテリーの残量を監視し、前記バッテリーの残量が予め定めた閾値以下になったら、前記バッテリーの残量低下を通知するバッテリー監視処理と、
前記通知を受信したら、前記通知を受信するまでに所定の操作者が設定した設定情報を前記画像処理装置に送信する送信処理と、を実行し、
前記画像処理装置は、
前記リモート端末から前記設定情報を受信して記憶する受信処理と、
前記画像処理装置の前記操作部で設定の継続を指示する操作が行われたら、前記設定画面に前記設定情報を反映させる設定反映処理と、を実行する、
ことを特徴とする操作制御方法。
【請求項１０】
前記設定反映処理では、前記設定の継続を指示する操作が行われるまで、前記設定画面に前記設定情報を反映させず、他の操作者による設定を可能にする、
ことを特徴とする請求項９に記載の操作制御方法。
【請求項１１】
前記送信処理では、前記リモート端末は、前記所定の操作者を識別する識別情報を前記画像処理装置に送信し、
前記受信処理では、前記画像処理装置は、前記識別情報を受信して記憶し、
前記設定反映処理では、前記画像処理装置は、前記リモート端末から受信した識別情報と前記画像処理装置で入力された識別情報とを比較して、操作権限の有無を判定し、前記設定の継続を指示する操作が行われ、かつ、操作権限ありと判定された場合に、前記設定画面に前記設定情報を反映させる、
ことを特徴とする請求項９に記載の操作制御方法。
【請求項１２】
前記リモート端末とは異なる他のリモート端末が、前記画像処理装置と無線によって接続されており、
前記送信処理では、前記リモート端末は、前記所定の操作者を識別する識別情報を前記画像処理装置に送信し、
前記他のリモート端末は、
前記画像処理装置から前記設定情報と前記識別情報とを取得し、取得した前記識別情報と前記他のリモート端末で入力された識別情報とを比較して、操作権限の有無を判定し、設定の継続を指示する操作が行われ、かつ、操作権限ありと判定された場合に、前記画像処理装置の機能に関する設定画面に、取得した前記設定情報を反映させる設定反映処理を実行する、
ことを特徴とする請求項９に記載の操作制御方法。
【請求項１３】
自装置の機能に関する設定画面を表示する表示部と操作部とを有する画像処理装置で動作する操作制御プログラムであって、
前記画像処理装置は、バッテリーで動作し、前記画像処理装置の機能に関する設定が可能なリモート端末と、無線によって接続されており、
前記画像処理装置を、
前記リモート端末から、所定の操作者が設定した設定情報を受信して記憶し、前記操作部で設定の継続を指示する操作が行われたら、前記設定画面に前記設定情報を反映させる設定反映部として機能させる、
ことを特徴とする操作制御プログラム。
【請求項１４】
前記設定反映部は、
前記設定の継続を指示する操作が行われるまで、前記設定画面に前記設定情報を反映させず、他の操作者による設定を可能にする、
ことを特徴とする請求項１３に記載の操作制御プログラム。
【請求項１５】
前記画像処理装置を、更に、
前記リモート端末から受信した、前記所定の操作者を識別する識別情報と自装置で入力された識別情報とを比較して、操作権限の有無を判定する認証部として機能させ、
前記設定反映部は、
前記設定の継続を指示する操作が行われ、かつ、前記認証部が操作権限ありと判定した場合に、前記設定画面に前記設定情報を反映させる、
ことを特徴とする請求項１３に記載の操作制御プログラム。
【請求項１６】
自装置の機能に関する設定画面を表示する画像処理装置と、無線によって接続されたリモート端末で動作する操作制御プログラムであって、
前記リモート端末は、バッテリーで動作し、前記画像処理装置の機能に関する設定を行う操作部を有し、
前記リモート端末を、
前記バッテリーの残量を監視し、前記バッテリーの残量が予め定めた閾値以下になったら、前記バッテリーの残量低下を通知するバッテリー監視部、
前記バッテリー監視部から前記通知を受信したら、前記通知を受信するまでに所定の操作者が設定した設定情報を前記画像処理装置に送信する制御部、として機能させる、
ことを特徴とする操作制御プログラム。
【発明の詳細な説明】
【技術分野】
【０００１】
本発明は、画像処理システム、画像処理装置、リモート端末及び操作制御方法並びに操作制御プログラムに関し、特に、画像処理装置をリモート端末でリモート操作可能な画像処理システム、画像処理装置、リモート端末及びリモート端末のバッテリー状態に応じて操作を制御する操作制御方法並びに操作制御プログラムに関する。
【背景技術】
【０００２】
近年、ＭＦＰ（Multi Function Peripheral）などの画像処理装置では、専用の操作端末やスマートフォン、タブレット端末などの通信端末（以下、これらを総称してリモート端末と呼ぶ。）によるリモート操作を可能にする機能も搭載されており、画像処理装置とリモート端末とを無線ＬＡＮ（Local Area Network）などの通信ネットワークを介して接続することにより、離れた場所に設置された画像処理装置をリモート操作することができる。
【０００３】
このようなリモート操作に関して、例えば、下記特許文献１には、操作画面を表示する操作パネルを有した画像情報処理装置であって、操作画面の表示が可能な情報機器によって実行されたときに、当該画像情報処理装置または外部装置に対するアクセス及び情報の取込みを含む処理を実現する第１種のアプリケーション、及び当該画像情報処理装置または外部装置に対するアクセスを含みかつ情報の取込みを含まない処理を実現する第２種のアプリケーションを記憶することができるストレージと、情報機器が接続されたときに、情報機器が操作用機器に該当するか否かを判定する判定部と、情報機器が操作用機器に該当する場合に、当該情報機器内に第１種のアプリケーションをダウンロードし、情報機器が操作用機器に該当しない場合に、当該情報機器内に第２種のアプリケーションをダウンロードするプログラム転送部と、を有する構成が開示されている。
【０００４】
また、下記特許文献２には、近距離無線通信部、操作パネル制御部を制御するプログラムを格納する記憶領域、プログラムに従い操作パネル制御部の制御を実行する制御部を有する画像処理装置にて、携帯機器が近距離無線通信部を経由して画像処理装置とリンクした時に、リンクした旨と承認を求める旨を画像処理装置と携帯機器双方の操作パネルに表示して、先に承認操作をした機器の保存部に、既に共通ユーザインターフェースプログラムまたはスクリプトを読みこんであるかを確認し、もし無ければ、もう一方の機器から先に承認操作をした機器へ、共通ユーザインターフェースプログラムまたはスクリプトを近距離無線通信部経由で転送し、リンクが解除されるまで、ユーザインターフェースプログラムまたはスクリプトにて操作パネルの制御を実施するプリントシステムが開示されている。
【０００５】
また、下記特許文献３には、処理データの入力操作を受け付ける第１データ処理装置と、処理データに基づく処理動作を実行する第２データ処理装置と、を接続し、第１データ処理装置と第２データ処理装置との間でデータの送受信を行うデータ処理システムにおいて、第１データ処理装置が処理データの入力操作の待機状態が所定時間継続した際に電源を切断する電源節電機能を備えるとともに、第１データ処理装置と第２データ処理装置とが接続されている間に電源節電機能を無効にする構成が開示されている。
【先行技術文献】
【特許文献】
【０００６】
【特許文献１】特開２０１２−０６５２１０号公報
【特許文献２】特開２０１１−１０３５７２号公報
【特許文献３】特開平１１−１８４５６７号公報
【発明の概要】
【発明が解決しようとする課題】
【０００７】
上述したように、各種処理装置とリモート端末間の制御に関して様々な制御方法が提案されているが、リモート端末はバッテリーで駆動するものが多く、従来の技術はリモート端末のバッテリーの電圧が低下した場合については考慮していないため、設定操作のやり直しが発生する場合がある。例えば、リモート操作の途中でリモート端末バッテリーの電圧が低下した場合には、リモート端末側で行った設定操作を、画像処理装置側若しくは他のリモート端末側で最初からやり直さなければならず、設定操作が煩雑になるという問題があった。
【０００８】
本発明は、上記問題点に鑑みてなされたものであって、その主たる目的は、リモート端末のバッテリーの電圧が低下した場合であっても、継続して画像処理装置の設定操作を実施することができる画像処理システム、画像処理装置、リモート端末及び操作制御方法並びに操作制御プログラムを提供することにある。
【課題を解決するための手段】
【０００９】
本発明の一側面は、自装置の機能に関する設定画面を表示する表示部と操作部とを有する画像処理装置と、バッテリーで動作し、前記画像処理装置の機能に関する設定を行う操作部を有するリモート端末と、が無線によって接続された画像処理システムであって、前記リモート端末は、前記バッテリーの残量を監視し、前記バッテリーの残量が予め定めた閾値以下になったら、前記バッテリーの残量低下を通知するバッテリー監視部と、前記バッテリー監視部から前記通知を受信したら、前記通知を受信するまでに所定の操作者が設定した設定情報を前記画像処理装置に送信する制御部と、を備え、前記画像処理装置は、前記リモート端末から前記設定情報を受信して記憶し、前記画像処理装置の前記操作部で設定の継続を指示する操作が行われたら、前記設定画面に前記設定情報を反映させる設定反映部を備えることを特徴とする。
【００１０】
本発明の一側面は、自装置の機能に関する設定画面を表示する表示部と操作部とを有する画像処理装置であって、バッテリーで動作し、前記画像処理装置の機能に関する設定が可能なリモート端末と、無線によって接続されており、前記リモート端末から、所定の操作者が設定した設定情報を受信して記憶し、前記操作部で設定の継続を指示する操作が行われたら、前記設定画面に前記設定情報を反映させる設定反映部を備えることを特徴とする。
【００１１】
本発明の一側面は、自装置の機能に関する設定画面を表示する画像処理装置と、無線によって接続されたリモート端末であって、前記画像処理装置の機能に関する設定を行う操作部と、バッテリーと、前記バッテリーの残量を監視し、前記バッテリーの残量が予め定めた閾値以下になったら、前記バッテリーの残量低下を通知するバッテリー監視部と、
前記バッテリー監視部から前記通知を受信したら、前記通知を受信するまでに所定の操作者が設定した設定情報を前記画像処理装置に送信する制御部と、を備えることを特徴とする。
【００１２】
本発明の一側面は、自装置の機能に関する設定画面を表示する表示部と操作部とを有する画像処理装置と、バッテリーで動作し、前記画像処理装置の機能に関する設定を行う操作部を有するリモート端末と、が無線によって接続された画像処理システムにおける操作制御方法であって、前記リモート端末は、前記バッテリーの残量を監視し、前記バッテリーの残量が予め定めた閾値以下になったら、前記バッテリーの残量低下を通知するバッテリー監視処理と、前記通知を受信したら、前記通知を受信するまでに所定の操作者が設定した設定情報を前記画像処理装置に送信する送信処理と、を実行し、前記画像処理装置は、前記リモート端末から前記設定情報を受信して記憶する受信処理と、前記画像処理装置の前記操作部で設定の継続を指示する操作が行われたら、前記設定画面に前記設定情報を反映させる設定反映処理と、を実行することを特徴とする。
【００１３】
本発明の一側面は、自装置の機能に関する設定画面を表示する表示部と操作部とを有する画像処理装置で動作する操作制御プログラムであって、前記画像処理装置は、バッテリーで動作し、前記画像処理装置の機能に関する設定が可能なリモート端末と、無線によって接続されており、前記画像処理装置を、前記リモート端末から、所定の操作者が設定した設定情報を受信して記憶し、前記操作部で設定の継続を指示する操作が行われたら、前記設定画面に前記設定情報を反映させる設定反映部として機能させることを特徴とする。
【００１４】
本発明の一側面は、自装置の機能に関する設定画面を表示する画像処理装置と、無線によって接続されたリモート端末で動作する操作制御プログラムであって、前記リモート端末は、バッテリーで動作し、前記画像処理装置の機能に関する設定を行う操作部を有し、前記リモート端末を、前記バッテリーの残量を監視し、前記バッテリーの残量が予め定めた閾値以下になったら、前記バッテリーの残量低下を通知するバッテリー監視部、前記バッテリー監視部から前記通知を受信したら、前記通知を受信するまでに所定の操作者が設定した設定情報を前記画像処理装置に送信する制御部、として機能させることを特徴とする。
【発明の効果】
【００１５】
本発明の画像処理システム、画像処理装置、リモート端末及び操作制御方法並びに操作制御プログラムによれば、リモート端末のバッテリーの電圧が低下した場合であっても、継続して画像処理装置の設定操作を実施することができる。
【００１６】
その理由は、リモート端末は自身のバッテリーの状態を監視し、バッテリーの電圧が予め定めた閾値以下に低下したら、その時までにリモート端末で設定された設定情報を画像処理装置に送信し、画像処理装置若しくは画像処理装置から設定情報を取得した他のリモート端末は、操作の継続が指示されたら、設定画面に設定情報を反映させ、設定操作を継続できるようにするからである。
【００１７】
また、リモート端末は、設定情報に加えて操作者を識別する識別情報を画像処理装置に送信し、画像処理装置若しくは画像処理装置から識別情報を取得した他のリモート端末は、識別情報に基づいて操作権限の有無を判定し、操作の継続が指示され、かつ、操作権限ありと判定した場合に、設定画面に設定情報を反映させ、設定操作を継続できるようにするからである。
【図面の簡単な説明】
【００１８】
【図１】本発明の一実施例に係る画像処理システムの構成を模式的に示す図である。
【図２】本発明の一実施例に係る画像処理装置の構成を示すブロック図である。
【図３】本発明の一実施例に係るリモート端末の構成を示すブロック図である。
【図４】本発明の一実施例に係るリモート端末の処理（設定情報を一括送信する場合の処理）を示すフローチャート図である。
【図５】本発明の一実施例に係るリモート端末の処理（設定情報を逐次送信する場合の処理）を示すフローチャート図である。
【図６】本発明の一実施例に係る画像処理装置の処理（操作を継続する処理）を示すフローチャート図である。
【図７】本発明の一実施例に係る他のリモート端末の処理（操作を継続する処理）を示すフローチャート図である。
【図８】本発明の一実施例に係るリモート端末の構成例を示す図である。
【発明を実施するための形態】
【００１９】
背景技術で示したように、リモート端末を用いることにより、離れた場所に設置された画像処理装置などをリモート操作することができる。しかしながら、リモート端末はバッテリーで駆動する場合が多いため、リモート操作の途中でバッテリーの電圧が低下してリモート操作が中断すると、画像処理装置や他のリモート端末では最初から設定をやり直さなければならず、設定操作が煩雑になるという問題があった。
【００２０】
そこで、本発明の一実施の形態では、リモート端末を用いて画像処理装置の機能に関する設定を行っている途中で、リモート端末のバッテリーの電圧が低下した場合は、画像処理装置若しくは他のリモート端末で継続して設定操作を行えるようにする。
【００２１】
具体的には、リモート端末は、自端末のバッテリーの状態を監視し、バッテリーの電圧レベルが予め定めた閾値以下となったら、それまでに設定された設定情報を画像処理装置に送信し、設定情報を受信した画像処理装置若しくは画像処理装置から設定情報を取得した他のリモート端末は、操作の継続が指示されたら、設定画面に設定情報を反映させ、設定操作を継続して実施できるようにする。
【００２２】
また、リモート端末の操作者が画像処理装置若しくは他のリモート端末で操作の継続を指示することによって操作を継続する意志を明確にし、第三者による不正な操作を防止するために、リモート端末は、設定情報に加えて操作者を識別する識別情報を画像処理装置に送信し、識別情報を受信した画像処理装置若しくは画像処理装置から識別情報を取得した他のリモート端末は、操作者に識別情報の入力を求め、受信若しくは取得した識別情報と入力された識別情報とを比較して操作権限の有無を判定し、操作の継続が指示され、かつ、操作権限ありと判定された場合に、設定画面に設定情報を反映させ、操作を継続して実施できるようにする。
【００２３】
これにより、バッテリーの電圧低下によってリモート端末でリモート操作ができなくなったとしても、画像処理装置や別のリモート端末で最初から設定操作をやり直す必要が無くなり、操作性を格段に向上させることができる。
【実施例】
【００２４】
上記した本発明の実施の形態についてさらに詳細に説明すべく、本発明の一実施例に係る画像処理システム、画像処理装置、リモート端末及び操作制御方法並びに操作制御プログラムについて、図１乃至図８を参照して説明する。図１は、本実施例の画像処理システムの構成を模式的に示す図であり、図２は、本実施例の画像処理装置の構成を示すブロック図、図３は、本実施例のリモート端末の構成を示すブロック図である。また、図４乃至図７は、リモート端末及び画像処理装置の処理を示すフローチャート図であり、図８は、リモート端末の構成例を示す図である。
【００２５】
図１に示すように、本実施例の画像処理システム１０は、リモート操作（離れた位置からの遠隔操作）の対象となる装置（本実施例では、画像処理装置２０とする。）と、リモート操作を行う１又は複数の端末（リモート端末４０と呼ぶ。）と、を備えており、画像処理装置２０と１又は複数のリモート端末４０とは、無線通信ネットワークを介して接続されている。なお、図１では、画像処理装置２０と１又は複数のリモート端末４０とが無線通信ネットワークを介して直接、接続される構成を示しているが、画像処理装置２０と１又は複数のリモート端末４０とがルータなどを介して接続される構成としてもよい。以下、各装置について説明する。
【００２６】
［画像処理装置］
図２に示すように、本実施例の画像処理装置２０は、ＭＦＰなどであり、ＣＰＵ（Central Processing Unit）２１、ＲＯＭ（Read Only Memory）２２、ＲＡＭ（Random Access Memory）２３、通信Ｉ／Ｆ部２４、ネットワークＩ／Ｆ部２５、補助記憶装置Ｉ／Ｆ部２６、補助記憶装置２７、表示部２８、操作部２９、読取部３０、画像処理部３１、印刷処理部３２、認証部３３、設定反映部３４などで構成される。
【００２７】
ＣＰＵ２１は、ＲＯＭ２２に格納された制御プログラムを実行することで、画像処理装置２０全体の制御を司る演算処理を行う。ＲＯＭ２２は、ＣＰＵ２１が実行する制御プログラムなどを格納する。ＲＡＭ２３は、ＣＰＵ２１の演算処理結果やプリント／スキャンのための画像データ、フォントデータなどを格納する。そして、ＣＰＵ２１とＲＯＭ２２とＲＡＭ２３などで制御部が構成される。
【００２８】
通信Ｉ／Ｆ部２４は、ＮＩＣ（Network Interface Card）などで構成され、イーサネット（登録商標）、トークンリング、ＦＤＤＩ（Fiber-Distributed Data Interface）等の規格により定められる無線ＬＡＮなどの無線通信ネットワークを介して、リモート端末４０や他のリモート端末４０との接続を行う。そして、リモート操作を行っているリモート端末４０から、ユーザによりリモート端末４０の操作部４６を介して設定された画像処理装置２０の機能に関する情報（設定情報と呼ぶ。）や操作者を識別するための情報（識別情報と呼ぶ。）などを受信する。また、他のリモート端末４０で継続して設定操作を行う場合は、リモート操作を行っているリモート端末４０から受信した設定情報や識別情報を他のリモート端末４０に転送する。なお、本実施例では、画像処理装置２０とリモート端末４０とを無線ＬＡＮで接続する構成とするが、接続方法は無線ＬＡＮに限定されず、Bluetooth（登録商標）などの近距離無線通信や赤外線通信、可視光通信などを用いることもできる。
【００２９】
ネットワークＩ／Ｆ部２５は、ＮＩＣなどで構成され、無線ＬＡＮや有線ＬＡＮなどの通信ネットワークを介して、クライアントのコンピュータ装置などとの接続を行う。そして、クライアントのコンピュータ装置などから、印刷ジョブなどを受信する。
【００３０】
補助記憶装置Ｉ／Ｆ部２６は、補助記憶装置２７を制御し、通信Ｉ／Ｆ部２４やネットワークＩ／Ｆ部２５を介して受信した情報を補助記憶装置２７に記憶させると共に、補助記憶装置２７から取り出した情報を制御部や認証部３３、設定反映部３４などに転送する。
【００３１】
補助記憶装置２７は、内蔵若しくは外部のＨＤＤ（Hard Disk Drive）などであり、クライアントのコンピュータ装置から受信した印刷ジョブの他に、リモート操作を行っているリモート端末４０から受信した設定情報や識別情報などを記憶する。
【００３２】
表示部２８は、ＬＣＤ（Liquid Crystal Display）などで構成され、画像処理装置２０の機能に関する設定を行うための設定画面、識別情報を入力するための入力画面などを表示する。操作部２９は、ハードキーや表示部２８上に形成された格子状の透明電極からなるタッチセンサなどで構成され、画像処理装置２０の機能に関する設定操作、識別情報の入力操作などを可能にする。また、必要に応じて、操作部２９や上記設定画面には、通常の設定操作を行う場合と、リモート端末４０による設定操作から継続して設定操作を行う場合と、の混同を防止するために、継続して操作を行うことを指示する手段（ハードキーや画面上のメニューなど）が追加される。
【００３３】
読取部３０は、原稿台上の原稿から画像データを光学的に読み取る部分であり、原稿を走査する光源と、原稿で反射された光を電気信号に変換するＣＣＤ（Charge Coupled Devices）等のイメージセンサと、電気信号をＡ／Ｄ変換するＡ／Ｄ変換器等により構成される。
【００３４】
画像処理部３１は、クライアントのコンピュータ装置から受信した印刷ジョブの各ページのデータをラスタライズして画像データに変換したり、読取部３０により読み取られた画像データや、印刷ジョブに基づいてラスタライズされた画像データに対し、エッジ強調処理や、スムージング処理、色変換処理等の画像処理を行ったりする。
【００３５】
印刷処理部３２は、画像処理部３１で変換した画像データに基づき、用紙への印刷処理を制御する。具体的には、帯電装置により帯電された感光体ドラムに露光装置から画像に応じた光を照射して静電潜像を形成し、現像装置で帯電したトナーを付着させて現像し、そのトナー像を転写ベルトに１次転写し、転写ベルトから紙媒体に２次転写し、更に定着装置で紙媒体にトナー像を定着させる処理を制御する。
【００３６】
認証部３３は、表示部２８に識別情報を入力するための入力画面を表示させ、リモート端末４０から取得した識別情報（例えば、ＩＤやパスワード、生体認証情報などの操作者を特定する情報、スマートフォンのような通話端末の場合は電話番号などのリモート端末４０を特定する情報）と、上記入力画面で入力された識別情報とを比較し、両者が一致する場合は、リモート端末４０による設定操作から継続して設定操作を行う操作権限があると判定する。
【００３７】
設定反映部３４は、リモート端末４０から受信した設定情報を補助記憶装置Ｉ／Ｆ部２６を介して記憶装置２７に記憶させ、上記メニューの操作などによって操作の継続が指示されたら、設定情報を解析し、上記設定画面にリモート端末４０で行った設定情報を反映させる。例えば、リモート端末４０で、プリントに関して用紙サイズや両面／片面、カラー／モノクロ、プリント枚数などの設定を行った場合は、プリントに関する設定画面を表示部２８に表示させる際に、これらの設定を反映させる。
【００３８】
上記認証部３３や設定反映部３４は、ハードウェアとして構成してもよいし、制御部を、認証部３３や設定反映部３４（特に、設定反映部３４）として機能させる操作制御プログラムとして構成してもよい。
【００３９】
［リモート端末］
図３に示すように、本実施例のリモート端末４０は、専用の操作端末、スマートフォンやタブレット端末などの携帯端末であり、ＣＰＵ４１、ＲＯＭ４２、ＲＡＭ４３、通信Ｉ／Ｆ部４４、表示部４５、操作部４６、バッテリー４７、バッテリー監視部４８、認証部４９、設定反映部５０などで構成される。
【００４０】
ＣＰＵ４１は、ＲＯＭ４２に格納された制御プログラムを実行することで、リモート端末４０全体の制御を司る演算処理を行う。ＲＯＭ４２は、ＣＰＵ４１が実行する制御プログラム、バッテリー４７の電圧状態を判断するための閾値などを格納する。ＲＡＭ４３は、ＣＰＵ４１の演算結果や設定情報、識別情報などを格納する。そして、ＣＰＵ４１とＲＯＭ４２とＲＡＭ４３などで制御部が構成される。この制御部は、後述するバッテリー監視部４８からバッテリー４７の電圧が低下した旨の通知を受信したら、通知を受信するまでに操作部４６で設定された設定情報と予め登録又は入力された識別情報とを、通信Ｉ／Ｆ部４４を介して画像処理装置２０に送信する。
【００４１】
通信Ｉ／Ｆ部４４は、ＮＩＣなどで構成され、無線ＬＡＮなどの無線通信ネットワークを介して、画像処理装置２０との接続を行う。そして、画像処理装置２０に、設定情報や識別情報などを送信する。なお、上述したように、画像処理装置２０とリモート端末４０との接続方法は無線ＬＡＮに限定されず、Bluetooth（登録商標）などの近距離無線通信や赤外線通信、可視光通信などを用いることもできる。
【００４２】
表示部４５は、ＬＣＤなどで構成され、画像処理装置２０の機能に関する設定操作を行うための設定画面、識別情報を入力するための入力画面、設定情報を送信するか否かを操作者に選択させるための選択画面などを表示する。なお、上記設定画面や入力画面、選択画面等は、Ｗｅｂサーバとして機能する画像処理装置２０から提供されたＷｅｂブラウザ上の画面としてもよいし、画像処理装置２０の装置情報に基づいてリモート端末４０が独自に生成した画面としてもよいし、リモート端末４０がスマートフォンやタブレット端末の場合は、画像処理装置２０をリモート操作するためのアプリケーション（画像処理装置２０を製造するメーカが提供するアプリケーション）が生成した画面としてもよい。操作部４６は、ハードキーや表示部４５上に形成された格子状の透明電極からなるタッチセンサなどで構成され、画像処理装置２０の機能に関する設定操作、設定情報を送信するか否かの指示などを可能にする。また、リモート操作を行ったリモート端末４０とは別のリモート端末４０では、必要に応じて、操作部４６や上記設定画面には、通常の設定操作を行う場合と継続して設定操作を行う場合との混同を防止するために、継続して操作を行うことを指示する手段（ハードキーや画面上のメニューなど）が追加される。
【００４３】
バッテリー４７は、リモート端末４０の各部を動作させるための電力を供給する。バッテリー監視部４８は、バッテリー４７の電圧を監視し、バッテリー４７の電圧が予め定めた閾値以下となった場合に、その旨を制御部に通知する。なお、本発明はバッテリー４７の残量に応じて制御を切り替えることを特徴とするものであり、バッテリー４７の電圧は残量を検出する一つの手段に過ぎず、バッテリー４７の残量を検出可能であれば、電圧以外の指標値（例えば、電流値や消費電力の積算量など）を監視してもよい。
【００４４】
認証部４９は、リモート端末４０が、リモート操作を行っているリモート端末４０とは別のリモート端末４０であるときに利用されるものであり、画像処理装置２０から識別情報を取得し、表示部４５に識別情報を入力するための入力画面を表示させ、画像処理装置２０から取得した識別情報と入力画面で入力された識別情報とを比較し、両者が一致する場合は、操作権限があると判定する。
【００４５】
設定反映部５０は、表示部４５に設定画面や入力画面、選択画面などを表示させる。また、上記別のリモート端末４０では、画像処理装置２０から設定情報を取得して解析し、上記設定画面に、リモート操作を行ったリモート端末４０で設定された設定情報を反映させる。
【００４６】
上記バッテリー監視部４８や認証部４９、設定反映部５０は、ハードウェアとして構成してもよいし、制御部を、バッテリー監視部４８や認証部４９、設定反映部５０（特に、リモート操作を行ったリモート端末４０ではバッテリー監視部４８、継続して設定操作を行う別のリモート端末４０では認証部４９及び設定反映部５０）として機能させる操作制御プログラムとして構成してもよい。
【００４７】
なお、図２及び図３の構成は一例であり、リモート端末４０が画像処理装置２０をリモート操作可能な構成であればよい。
【００４８】
以下、本実施例の画像処理システム１０の動作について説明する。まず、本実施例のリモート端末４０の処理について、図４のフローチャート図を参照して説明する。リモート端末４０は、ＣＰＵ４１がＲＯＭ４２に格納された制御プログラムを実行することで図４のフローチャートに示す処理を実行する。
【００４９】
リモート端末４０の制御部は、通信Ｉ／Ｆ部２５を介して、操作対象である画像処理装置２０と接続し、必要に応じて操作者の認証を行い、画像処理装置２０と連携可能な状態にする（Ｓ１０１）。そして、制御部は、表示部４５に画像処理装置２０をリモート操作するための設定画面を表示させ、操作者からの操作部４６を用いての画像処理装置２０の機能に関する設定操作を受け付ける（Ｓ１０２）。なお、この設定画面は、上述したように、Ｗｅｂサーバとして機能する画像処理装置２０から提供されたＷｅｂブラウザ上の画面としてもよいし、画像処理装置２０の装置情報に基づいてリモート端末４０が独自に生成した画面としてもよいし、画像処理装置２０をリモート操作するためのアプリケーションが生成した画面としてもよい。
【００５０】
そして、バッテリー監視部４８は、バッテリー４７の電圧を監視し、バッテリー４７の電圧が予め定めた閾値（例えば、充電を促すメッセージが表示される電圧）以下に低下したかを判断する（Ｓ１０３）。バッテリー４７の電圧が閾値を越えている場合は（Ｓ１０３のＮｏ）、制御部は、設定操作終了であるかを判断し（Ｓ１０６）、設定操作終了であればリモート端末４０によるリモート操作を終了し、設定操作終了でなければＳ１０２に戻って設定操作の受け付けを継続する。なお、設定操作終了であるか否かは、ジョブの実行が指示されたかどうか（スタートボタンが押下されたかどうか）や、設定画面やリモート操作用のアプリケーションが閉じられたかどうかなどに基づいて判断することができる。
【００５１】
一方、バッテリー４７の電圧が閾値以下となった場合は（Ｓ１０３のＹｅｓ）、制御部は、それまでに設定画面に基づいて設定された情報（設定情報）と操作者を識別する識別情報とを、連携している画像処理装置２０に送信する（Ｓ１０４）。なお、識別情報は、リモート端末４０に予め記憶されていてもよいし、操作部４６を用いて入力してもよいし、生体情報やタグに記憶された情報を読み取る手段を用いて読み取ってもよい。また、上記識別情報は、操作者を特定する情報としてもよいし、リモート端末４０を特定する情報としてもよい。
【００５２】
また、ここでは、バッテリー４７の電圧が閾値以下となった場合に、自動的に設定情報と識別情報とを画像処理装置２０に送信する構成としているが、表示部４５に画像処理装置２０への情報の送信を行うかどうかを操作者に確認するメッセージを表示し、操作者が指示した場合にのみ、画像処理装置２０に情報の送信を行うようにしてもよい。また、ここでは、バッテリー４７の電圧が低下した時に設定情報と識別情報とを送信する構成としたが、例えば、操作者が指示した任意のタイミングで設定情報と識別情報とを画像処理装置２０に送信するようにしてもよい。
【００５３】
その後、バッテリー監視部４８は、バッテリー４７の電圧を監視し、バッテリー４７の充電や交換などによってバッテリー４７が回復したかを判断する（Ｓ１０５）。バッテリー４７が回復した場合は（Ｓ１０５のＹｅｓ）、リモート操作を再開することができるため、制御部は、設定操作終了であるかを判断し（Ｓ１０６）、設定操作終了であればリモート操作を終了し、設定操作終了でなければＳ１０２に戻って設定操作の受け付けを継続する。一方、バッテリー４７が回復しない場合は（Ｓ１０５のＮｏ）、リモート端末４０でリモート操作を行うことができないため、処理を終了する。
【００５４】
上記フローでは、バッテリー４７の電圧が低下するまでの設定情報を一括して送信する構成としたが、例えば、設定操作を行う度にその設定情報を送信することもできる。その場合のリモート端末４０の処理について、図５のフローチャート図を参照して説明する。図５のフローチャートについても、リモート端末４０は、ＣＰＵ４１がＲＯＭ４２に格納された制御プログラムを実行することで図５のフローチャートに示す処理を実行する。
【００５５】
上記と同様に、リモート端末４０の制御部は、通信Ｉ／Ｆ部２５を介して、操作対象である画像処理装置２０と接続し、必要に応じて認証を行って、画像処理装置２０と連携可能な状態にし（Ｓ２０１）、表示部４５に画像処理装置２０をリモート操作するための設定画面を表示させる。そして、操作者による操作部４６を用いての画像処理装置２０の機能に関する設定操作を受け付けると（Ｓ２０２）、制御部は、その都度、設定情報を画像処理装置２０に送信する（Ｓ２０３）。
【００５６】
そして、バッテリー監視部４８は、バッテリー４７の電圧を監視し、バッテリー４７の電圧が閾値以下に低下したかを判断する（Ｓ２０４）。バッテリー４７の電圧が閾値を越えている場合は（Ｓ２０４のＮｏ）、制御部は、設定操作終了であるかを判断し（Ｓ２０７）、設定操作終了であればリモート操作を終了し、設定操作終了でなければＳ２０２に戻って設定操作を継続する。
【００５７】
一方、バッテリー４７の電圧が閾値以下となった場合は（Ｓ２０４のＹｅｓ）、制御部は、操作者を識別する識別情報を、連携している画像処理装置２０に送信する（Ｓ２０５）。その後、バッテリー監視部４８は、バッテリー４７の充電や交換などによってバッテリー４７が回復したかを判断し（Ｓ２０６）。バッテリー４７が回復した場合は（Ｓ２０６のＹｅｓ）、リモート操作を再開することができるため、制御部は、設定操作終了であるかを判断し（Ｓ２０７）、設定操作終了であればリモート操作を終了し、設定操作終了でなければＳ２０２に戻って設定操作を継続する。一方、バッテリー４７が回復しない場合は（Ｓ２０６のＮｏ）、リモート端末４０でリモート操作を行うことができないため、処理を終了する。
【００５８】
次に、本実施例の画像処理装置２０の動作について、図６のフローチャート図を参照して説明する。画像処理装置２０は、ＣＰＵ２１がＲＯＭ２２に格納された制御プログラムを実行することで図６のフローチャートに示す処理を実行する。
【００５９】
画像処理装置２０の設定反映部３４は、図４のＳ１０４または図５のＳ２０３やＳ２０５においてリモート端末４０から送信された設定情報と識別情報とを受信し、補助記憶装置Ｉ／Ｆ部２６を介して補助記憶装置２７に保存する（Ｓ３０１）。
【００６０】
なお、設定情報の保存に関して、リモート端末４０から設定情報が一括送信される場合（図４のフローチャート図の場合）は、設定情報と共に識別情報を補助記憶装置２７に保存し、バッテリー４７の回復によりリモート端末４０で設定操作が再開され、その後、バッテリー４７の電圧の低下により、再び設定情報と識別情報とが送信された場合は、設定情報を上書き保存する。
【００６１】
また、リモート端末４０から設定情報が逐次送信される場合（図５のフローチャート図の場合）は、送信される設定情報を関連付けて補助記憶装置２７に保存し、バッテリー４７の回復によりリモート端末４０で設定操作が再開され、その後、バッテリー４７の電圧の低下により、再び設定情報が送信された場合は、送信される設定情報を先に保存した設定情報に関連付けて保存する。
【００６２】
次に、操作者から操作の継続の指示を受け付ける（Ｓ３０２）。図８（ａ）は、従来の設定画面及び操作部２９の構成を示しており、図８（ｂ）は、本件発明に関する操作の継続指示が可能な設定画面及び操作部２９の構成を示している。図８（ｂ）に示すように、表示部２８に表示される設定画面や操作部２９には、操作を継続するか否かを操作者に選択させるために手段（例えば、コピー／ＦＡＸ／スキャンなどの機能と同列に「継続設定」を選択する機能ボタン６０）が追加されている。なお、操作の継続の指示を求めるのは、ある操作者がリモート端末４０の設定画面を用いてリモート操作している時に、別の操作者が画像処理装置２０の設定画面を用いて操作を行っている場合があり、そのような場合に、直ちに設定情報を反映して設定画面を変更すると、別の操作者の操作に影響を与えてしまうからである。
【００６３】
操作者が操作の継続を指示すると、認証部３３は、表示部２８に識別情報を入力するための画面を表示させる。ここで、識別情報の入力を求めるのは、バッテリー４７の電圧低下により、リモート端末４０でのリモート操作を中止した後、バッテリー４７が回復した場合に、リモート端末４０で操作を再開するか、画像処理装置２０で操作を継続するかを、操作者の意志で決定できるようにするため、及び、他の操作者が勝手に画像処理装置２０で操作を継続できないようにするためである。なお、ここでは画面上で識別情報を入力する構成とするが、生体情報やタグに記憶された情報を読み取ってもよい。
【００６４】
そして、識別情報の入力画面で操作者が識別情報を入力すると（Ｓ３０３）、認証部３３は、入力画面で入力された識別情報とＳ３０１でリモート端末４０から受信した識別情報とが一致するかどうかを判定し（Ｓ３０４）、双方の識別情報が一致しない場合は、エラーメッセージを表示し（Ｓ３０５）、Ｓ３０３に戻って識別情報の再入力を促す。
【００６５】
双方の識別情報が一致する場合は、操作者が画像処理装置２０で操作を継続する操作権限を有していると考えられることから、設定反映部３４は、リモート端末４０から受信した設定情報を解析し、設定情報を反映させた設定画面を表示部２８に表示させ（Ｓ３０６）、操作者は操作部２９を操作して操作を継続する。
【００６６】
その後、制御部は、設定操作終了かどうかを判断し（Ｓ２０６）、設定操作終了であれば処理を終了し、設定操作終了でなければ、Ｓ３０６に戻って設定操作を継続する。なお、設定操作終了であるか否かは、ジョブの実行が指示されたかどうか（スタートボタンが押下されたかどうか）などに基づいて判断することができる。
【００６７】
上記フローは、画像処理装置２０で操作を継続する場合の手順であるが、画像処理システム１０に複数のリモート端末４０が接続されており、リモート操作を行っているリモート端末４０（元のリモート端末４０と呼ぶ。）のバッテリー４７の電圧が低下した場合に、他のリモート端末４０を用いて操作を継続することもできる。その場合の他のリモート端末４０の処理について、図７のフローチャート図を参照して説明する。他のリモート端末４０は、ＣＰＵ４１がＲＯＭ４２に格納された制御プログラムを実行することで図７のフローチャートに示す処理を実行する。
【００６８】
まず、他のリモート端末４０の制御部は、通信Ｉ／Ｆ部２５を介して、操作対象である画像処理装置２０と接続して連携し、元のリモート端末４０から送信された識別情報を、画像処理装置２０を介して取得する（Ｓ４０１）。そして、操作者は、表示部４５に表示される設定画面や操作部４６に追加された、操作を継続するか否かを操作者に選択させるために手段を用いて、操作の継続を指示する（Ｓ４０２）。
【００６９】
操作者が操作の継続を指示すると、認証部４９は、表示部４５に識別情報を入力するための画面を表示させる。ここで、識別情報の入力を求めるのは、バッテリー４７の電圧低下により、元のリモート端末４０でのリモート操作を中止した後、バッテリー４７が回復した場合に、元のリモート端末４０で操作を再開するか、他のリモート端末４０で操作を継続するかを、操作者の意志で決定できるようにするため、及び、他の操作者が勝手に他のリモート端末４０で操作を継続できないようにするためである。
【００７０】
そして、識別情報の入力画面で操作者が識別情報を入力すると（Ｓ４０３）、認証部４９は、入力画面で入力された識別情報とＳ４０１で画像処理装置２０を介して取得した識別情報とが一致するかどうかを判定し（Ｓ４０４）、双方の識別情報が一致しない場合は、エラーメッセージを表示し（Ｓ４０５）、Ｓ４０３に戻って識別情報の再入力を促す。
【００７１】
双方の識別情報が一致する場合は、操作者が他のリモート端末４０で操作を継続する操作権限を有している（すなわち、元のリモート端末４０の操作者と他のリモート端末４０の操作者とが一致する）と考えられることから、設定反映部５０は、元のリモート端末４０から送信された設定情報を、画像処理装置２０を介して取得する（Ｓ４０６）。そして、設定反映部５０は、リモート端末４０から受信した設定情報を解析し、設定情報を反映させた設定画面を表示部４５に表示させ（Ｓ４０７）、操作者は操作部４６を操作して操作を継続する。
【００７２】
その後、制御部は、設定操作終了かどうかを判断し（例えば、ジョブの実行が指示されたか）を判断し（Ｓ４０８）、設定操作終了であれば処理を終了し、設定操作終了でなければ、Ｓ４０７に戻って設定操作を継続する。
【００７３】
このように、本実施例では、リモート端末４０は自端末のバッテリー４７の電圧を監視し、リモート操作の途中でバッテリー４７の電圧が閾値以下に低下したら、それまでの設定情報を画像処理装置２０に送信し、画像処理装置２０又は他のリモート端末４０では、設定画面に設定情報を反映させて、継続した操作を可能にするため、初めから設定操作をやり直す手間を省くことができ、操作性を向上させることができる。
【００７４】
なお、本発明は上記実施例に限定されるものではなく、本発明の趣旨を逸脱しない限りにおいて、その構成や制御方法は適宜変更可能である。
【００７５】
例えば、上記実施例では、他のリモート端末４０が継続して設定操作を行う場合、画像処理装置２０を介して設定情報や識別情報を取得する構成としたが、リモート操作を行っているリモート端末４０から直接、他のリモート端末４０に設定情報や識別情報を送信することもできる。
【００７６】
また、上記実施例では、リモート端末４０がリモート操作を行う対象機器として画像処理装置２０を例示したが、リモート操作が可能な任意の機器に対して本発明の制御方法を同様に適用することもできる。
【００７７】
また、上記実施例では、画像処理装置２０で操作を継続する場合と他のリモート端末４０で操作を継続する場合とを個別に示したが、画像処理装置２０で操作を継続するモードと他のリモート端末４０で操作を継続するモードとを両立させ、ユーザがどちらの装置で操作を引き継ぐかを選択できるようにすることもできる。
【産業上の利用可能性】
【００７８】
本発明は、画像処理装置をリモート端末でリモート操作可能な画像処理システム、画像処理装置、リモート端末、これらの装置にリモート操作の制御を実施させるプログラムが記録されたメディア（ＣＤ−ＲＯＭやＤＶＤ等）に利用可能である。
【符号の説明】
【００７９】
１０  画像処理システム
２０  画像処理装置
２１  ＣＰＵ
２２  ＲＯＭ
２３  ＲＡＭ
２４  通信Ｉ／Ｆ部
２５  ネットワークＩ／Ｆ部
２６  補助記憶装置Ｉ／Ｆ部
２７  補助記憶装置
２８  表示部
２９  操作部
３０  読取部
３１  画像処理部
３２  印刷処理部
３３  認証部
３４  設定反映部
４０  リモート端末
４１  ＣＰＵ
４２  ＲＯＭ
４３  ＲＡＭ
４４  通信Ｉ／Ｆ部
４５  表示部
４６  操作部
４７  バッテリー
４８  バッテリー監視部
４９  認証部
５０  設定反映部
６０  継続設定の機能ボタン
【図１】
2014187575.tif 000003
【図２】
2014187575.tif 000004
【図３】
2014187575.tif 000005
【図４】
2014187575.tif 000006
【図５】
2014187575.tif 000007
【図６】
2014187575.tif 000008
【図７】
2014187575.tif 000009
【図８】
2014187575.tif 000010